(57)【要約】【課題】相溶性塗料を塗装した樹脂整形品に相溶性塗料なのでそのままマテリアルリサイクル可能であると表示することでリサイクル業者でのマテリアルリサイクルを促進する。【解決手段】相溶性塗料を塗装した樹脂成形品に樹脂の材質表示とともに、相溶性塗料であるとの表示をする。表示方法は材質表示と同様に金型彫り込みが好ましいが、相溶性ラベルに記載するのでもよい。【選択図】        図１
2004351652.tif 000002
【特許請求の範囲】
【請求項１】
相溶性塗料を塗装した樹脂であることを表示することでリサイクル業者にマテリアルリサイクルできることを確実に理解させる方法。
【請求項２】
相溶性塗料を塗装した樹脂であることを表示することでリサイクル業者にマテリアルリサイクルできることを確実に理解させる方法において、樹脂成形品にその旨の記載を彫り込み成形によって行う方法。
【請求項３】
相溶性塗料を塗装した樹脂であることを表示することでリサイクル業者にマテリアルリサイクルできることを確実に理解させる方法において、樹脂成形品にその旨の記載をラベル表示・印刷によって行う方法。
【発明の詳細な説明】
【０００１】
【発明の属する技術分野】
樹脂に印刷・塗装を行うことはリサイクル上あまり好ましいことではなく、環境規制のトップランナーであるブルーエンゼルにおいては印刷・塗装を最小限にするように規則化している。これは当該樹脂を再ペレット化するなどしてマテリアルリサイクルするさいに印刷・塗装した部分が不純物として機能し、リサイクル性を阻害するためである。
【０００２】
しかし近年、デザイン的要求から樹脂に塗装を行いメタリック感や高級感を与えることが要求されていることから、相溶性の印刷・塗装材料が開発、製品化され実用化されている。
【０００３】
相溶性塗料を塗装した樹脂をマテリアルリサイクルできることをリサイクル業者に明快に表示することで、当該樹脂のマテリアルリサイクル化を促進し、環境保護に寄与させるものである。
【０００４】
【従来の技術】
樹脂の材質表示はほとんど義務付けられており、これによってリサイクル業者は当該成形品がどの樹脂でできているかを知ることができ、資源のリサイクル化を効率良く行うことができる。（例えば特許文献１参照）。しかしながら、筐体が塗装されているとマテリアルリサイクルできないと一般的には判断してしまう。
【０００５】
また、リサイクルマークなどをメーカーによっては独自につけることもあるようだが、これも樹脂自体はリサイクル可能であるが、塗装ははがさないといけないと一般的には判断してしまう。
【０００６】
やはり、塗装自体が相溶性なのでそのままはがしたりすることなくリサイクル可能であるとわからしめるのがもっとも好ましいがそうはなっていない。
【０００７】
けっきょく相溶性塗料を塗装した樹脂であるかいなかはリサイクル業者は判断できないため、塗装がされていることでマテリアルリサイクルはできないと判断することが常識的である。これによって当該樹脂は塗装をはがすことはコストがかかったり、かえって環境を汚染するためにマテリアルリサイクルされることなくサーマルリサイクルへとまわされてしまい資源のリサイクル性としてはワンランク低下してしまっているのが実態である。
【０００８】
樹脂に印刷・塗装を行うことはリサイクル上あまり好ましいことではなく、環境規制のトップランナーであるブルーエンゼルにおいては印刷・塗装を最小限にするように規則化している。これは当該樹脂を再ペレット化するなどしてマテリアルリサイクルするさいに印刷・塗装した部分が不純物として機能し、リサイクル性を阻害するためである。
【０００９】
しかし近年、デザイン的要求から樹脂に塗装を行いメタリック感や高級感を与えることが要求されていることから、相溶性の印刷・塗装材料が開発、製品化され実用化されている。
【００１０】
しかしながら、従来は相溶性塗料を塗装した樹脂であるかいなかはリサイクル業者は判断できないため、塗装がされていることでマテリアルリサイクルはできないと判断することが常識的である。これによって当該樹脂はマテリアルリサイクルされることなくサーマルリサイクルへとまわされてしまい資源のリサイクル性としてはワンランク低下してしまっているのが実態である。
【００１１】
【特許文献１】
特開平６−３０８８８４号公報
【００１２】
【発明が解決しようとする課題】
そこで、相溶性塗料を塗装した樹脂をマテリアルリサイクルできることをリサイクル業者に明快に表示することで、当該樹脂のマテリアルリサイクル化を促進し、環境保護に寄与させるものである。
【００１３】
【課題を解決するための手段】
近年、相溶性の印刷・塗装材料が開発、製品化され実用化されている。相溶性塗料を塗装した樹脂をマテリアルリサイクルできることをリサイクル業者に明快に表示することで、当該樹脂のマテリアルリサイクル化を促進し、環境保護に寄与させるものである。
【００１４】
表示方法としては、従来からブルーエンゼルなどによって指導されている樹脂の材質表示（ＩＳＯ１１４６９、ＩＳＯ１０４３や、ＪＩＳ  Ｋ６９９９、ＪＩＳ  Ｋ６８９９）のごとく、樹脂と相溶性のある相溶性塗料であるのでマテリアルリサイクル可能であると樹脂成形品に表示することがもっとも親切である。
それは従来の樹脂の材質表示の近傍に表示することでリサイクル業者にひとめで理解を与えることが好ましい。
【００１５】
その表示方法は樹脂の材質表示は金型に彫り込み、成形によって行われることがもっとも環境負荷がすくない。
【００１６】
どうしてもこれができない場合は、印刷やラベルで表示することも可能ではある。このさい、ラベルは相溶性ラベルがこのましいのは言うまでもない。
【００１７】
表示内容は、相溶性でありリサイクル可能であることがわかればよいのであり、」たとえばの一例としては、Ｃｏｍｐａｔｉｂｌｅ  ＰａｉｎｔとかＲｅｃｙｃｌｉｎｇ  Ｐａｉｎｔとか、あるいはこれらの略称としてＣＰやＲＰなどと記号化、標準化して記載し容易にわからせることが肝要である。
【００１８】
成形樹脂の種類としては、アクリル系樹脂、スチレン系樹脂、ビニル系樹脂、アミノ系樹脂、オレフィン系樹脂、エステル系樹脂に属する樹脂またはそれに類する樹脂の少なくともひとつによって構成されている。それは、ハイインパクトポリスチレン樹脂、ポリフェニレンエーテル樹脂、ポリフェニレンオキサイド樹脂、アセタール樹脂、ＡＢＳ樹脂、ポリカーボネート樹脂、ナイロン樹脂、塩化ビニル樹脂、ポリプロピレン樹脂、ポリエチレン樹脂の少なくともひとつ、あるいはこれらの共重合物や変性物やポリマーアロイから構成されていることが一般的である。しかし、これらに限定されるものではなく成形樹脂であればなんでもよい。
【００１９】
相溶性塗料の樹脂としては、アクリル系樹脂、スチレン系樹脂、ビニル系樹脂、アミノ系樹脂、オレフィン系樹脂、エステル系樹脂に属する樹脂またはそれに類する樹脂の少なくともひとつによって構成されている。それは、ポリスチレン樹脂、アクリロニトリル・スチレン共重合樹脂、アクリル樹脂、スチレン変性アクリル樹脂、塩素化ポリプロピレン樹脂、ポリフェニレンエーテル樹脂の少なくともひとつから構成されていることが一般的である。しかし、これらに限定されるものではなく成形樹脂に相溶性がある塗料であればなんでもよい。
【００２０】
（作用）
この発明は、樹脂と相溶性のある相溶性塗料であるのでマテリアルリサイクル可能であると表示されているのでリサイクル業者がひとめでマテリアルリサイクル可能と判断しうるものである。
【００２１】
それは従来の樹脂の材質表示の近傍に表示されればリサイクル業者にひとめで理解を与えることができる。
【００２２】
その方法は樹脂の材質表示は金型に彫り込み、成形によって行われることがもっとも環境負荷がすくない。
【００２３】
どうしてもこれができない場合は、印刷や相溶性ラベルで表示し理解させることも可能ではある。
【００２４】
いずれにしろリサイクル業者はひとめでマテリアルリサイクル可能と判断できた。
【００２５】
【発明の実施の形態】
以下本発明の実施例を説明する。
【００２６】
１．外装用ＡＢＳ樹脂（テクノポリマー製＃３３０）の裏面に、＞ＡＢＳ＜という材質表示の隣接して、Ｃｏｍｐａｔｉｂｌｅ  Ｐａｉｎｔと金型彫り込みによる刻印で表示した。これのおもて面に相溶性塗料（トウペ製スチレン変性アクリル樹脂リペレＳ＃１１００）をメタリック色に調色し塗装した。
【００２７】
リサイクル業者は塗装されているが相溶性塗料であるとわかったので、塗装をはがしたりサーマルリサイクルにまわしたりせずに、ＡＢＳ樹脂としてのマテリアルリサイクルに循環することができた。
【００２８】
２．外装用ハイインパクトポリスチレン樹脂（スタイロン製＃Ｈ８６２７）の裏面に、＞ＰＳ−ＨＩ＜という材質表示を金型彫り込みによる刻印で表示した。これのおもて面に相溶性塗料（カシー製アクリル樹脂プラスラック＃ＣＨ−２））を黒色に調色し塗装した。さらに成形品の裏面に、Ｒｅｃｙｃｌｉｎｇ  Ｐａｉｎｔと表記した相溶性ラベル（大日本インキ製ダイハートＳ８１００ＦＧＫ−Ｍ）を貼り付けた。これによってリサイクル業者は塗装されているが相溶性塗料であるとわかったので、塗装をはがしたりサーマルリサイクルにまわしたりせずに、ＡＢＳ樹脂としてのマテリアルリサイクルに循環することができた。
【００２９】
【発明の効果】
この発明により、従来は相溶性塗料を塗装した樹脂であるかいなかはリサイクル業者は判断できないため、塗装がされていることでマテリアルリサイクルはできないと判断することが常識的であり、当該樹脂はマテリアルリサイクルされることなくサーマルリサイクルへとまわされてしまい資源のリサイクル性としてはワンランク低下してしまっているのが実態であった。
【００３０】
本発明により、相溶性塗料を塗装した樹脂をマテリアルリサイクルできることをリサイクル業者に明快に表示することで、当該樹脂のマテリアルリサイクル化を促進し、環境保護に寄与させることができた。
【図面の簡単な説明】
【図１】形態図。
【図２】形態図。
【図１】
2004351652.tif 000003
【図２】
2004351652.tif 000004